(57)【要約】【課題】墓の設置面積を抑え、対震性に優れた墓石を提供する。【解決手段】貫通孔が少なくとも１つ形成された中空柱状本体と、中空柱状本体上に配され、中空柱状本体の上端部の貫通孔の開口を塞ぐ蓋とを有する。貫通孔内に骨袋が挿入されることが望ましい。中空柱状本体の形状は中空円柱状、中空三角柱、中空四角柱、中空五角柱等の中空角柱、中空円錐台、中空三角錐台、中空四角錐台、中空五角錐台等の中空角錐台であることが望ましい。墓石の形状は円柱状であることが望ましい。貫通孔は複数形成されている形態もある。【選択図】図１
2018040218.tif 000002
【特許請求の範囲】
【請求項１】
貫通孔が少なくとも１つ形成された中空柱状本体と、該中空柱状本体上に配され、該中空柱状本体の上端部の貫通孔の開口を塞ぐ蓋とを有する墓石。
【請求項２】
前記貫通孔内に骨袋が挿入される請求項１に記載の墓石。
【請求項３】
前記中空柱状本体の形状は中空円柱状である請求項１又は２に記載の墓石。
【請求項４】
請求項１から３のいずれか１項に記載の墓石の形状は円柱状である墓石。
【請求項５】
前記貫通孔は複数形成されている請求項１から４のいずれか１項に記載の墓石。
【発明の詳細な説明】
【技術分野】
【０００１】
本発明は、墓石に関し、特に柱状の墓石に関する。
【背景技術】
【０００２】
墓石の形は種々あるが、一般に用いられるのは、角石を積み上げて構成される墓石である。このような墓石は地震に弱く、倒壊する例が見られる。特許文献１では墓石においてステンレス棒を用いて積み上げられた角石を固定することの記載がある。
一般に、墓は世代をまたがって受け継がれていくために、骨壺で埋葬する場合に骨壷の収容室は広くとられ、墓の設置面積は広く、墓石も耐久性が求められるために、墓の購入には多額の費用がかかる。
【先行技術文献】
【特許文献】
【０００３】
【特許文献１】特開２００９−２９９３４５号公報
【発明の概要】
【発明が解決しようとする課題】
【０００４】
核家族化、少子化等により、墓は世代をまたがって受け継いでいくことを前提とせず、より低額で墓を購入し永代供養に移行する埋葬の要請がある。
【０００５】
本発明は、墓の設置面積を抑え、対震性に優れた墓石を提供することを目的とする。
【課題を解決するための手段】
【０００６】
（１）  本発明に係る墓石は、貫通孔が少なくとも１つ形成された中空柱状本体と、該中空柱状本体上に配され、該中空柱状本体の上端部の貫通孔の開口を塞ぐ蓋とを有する墓石である。
（２）  上記本発明の墓石は、前記貫通孔内に骨袋が挿入される墓石であることが望ましい。
（３）  上記（１）又は（２）の本発明の墓石は、前記中空柱状本体の形状が中空円柱状であることが望ましい。
（４）  上記（１）から（３）のいずれかの本発明の墓石の形状は円柱状であることが望ましい。
（５）  上記（１）から（４）のいずれかの本発明の墓石は、前記貫通孔が複数形成されている形態もある。
【発明の効果】
【０００７】
本発明によれば、墓の設置面積を抑え、対震性に優れた墓石を提供することができる。
【図面の簡単な説明】
【０００８】
【図１】本発明の一実施形態の墓石の斜視図である。
【図２】蓋の側面図である。
【図３】中空円柱状本体の斜視図である。
【図４】中空円柱状本体と蓋とを組みあわせた墓石の上面図及び側面図である。
【図５】中空柱状本体の形状が中空円錐台である場合の墓石を示す図である。
【図６】中空柱状本体の形状が曲面状に加工された場合の墓石を示す図である。
【図７】墓石の支持及び埋葬方法を示す説明図である。
【図８】墓石及び墓石を支持する基礎部の縦断面図である。
【図９】中空柱状本体に貫通孔を二つ設けた場合を示す墓石の斜視図である。
【発明を実施するための形態】
【０００９】
以下、本発明の実施形態について図面を用いて詳細に説明する。
図１は本発明の一実施形態の墓石の斜視図である。図２は蓋の側面図である。図３は中空円柱状本体の斜視図である。図４は中空円柱状本体と蓋とを組みあわせた墓石の上面図及び側面図である。図５は中空柱状本体の形状が中空円錐台である場合の墓石を示す図である。図６は中空柱状本体の形状が曲面状に加工された場合の墓石を示す図である。
図１〜図４に示すように、本実施形態に係る墓石は、円柱状の貫通孔が形成された中空円柱状本体１２と、中空円柱状本体１２上に配され、中空円柱状本体１２の上端部の貫通孔の開口を塞ぐ蓋１１とを有する。蓋１１は円板状の頭部１１ａと頭部１１ａから延びる円柱部１１ｂとからなる。円柱部１１ｂの直径ｄ１は中空円柱状本体１２の内径ｄ２よりも小さくなっており、円柱部１１ｂが中空円柱状本体１２の上端部の開口内に挿入される。中空円柱状本体１２と蓋１１とを接着剤で固定する場合には蓋１１の円柱部１１ｂは設けなくてもよい。蓋１１と、蓋１１が載せられた中空円柱状本体１２とを有する墓石の形状は円柱状となる。
【００１０】
本実施形態では、中空柱状本体の形状の例として中空円柱を取り上げたが、中空円柱に限定されず、中空三角柱、中空四角柱、中空五角柱等の中空角柱、中空円錐台、中空三角錐台、中空四角錐台、中空五角錐台等の中空角錐台等を用いることができる。中空柱状本体が中空円錐台状本体１３である場合を図５に示す。また、中空柱状本体の形状は中空円柱、中空角柱、中空錐台等に限定されず、図６に示すように側面が曲面状に加工された中空柱状本体であってもよい。また、下端から上端にいく途中で、中空円柱状本体の直径が不連続に小さくなる段差を設けてもよい。中空柱状本体の大きさは特に限定されないが、例えば、墓石を抱くことができるように、中空円柱状本体や中空角錐台状本体の直径や中空角柱状本体の辺の長さ等を設定することができる。
【００１１】
中空柱状本体１２の貫通孔の形状は、円柱に限られず、三角柱、四角柱、五角柱等の角柱等であってもよいが、貫通孔を形成するときの加工のしやすさから円柱であることが望ましい。中空柱状本体が中空円錐台、中空角錐台等のように下方向に広がる形状の場合には、下方向に行くに従って空間が広がるように貫通孔の形状を円錐台や角錐台等としてもよい。
【００１２】
蓋１１の頭部１１aの形状は図２に示すような円板に限定されず、図６に示すような椀型であってもよく、半球型や円錐台型等であってもよい。
中空円柱状本体１２及び蓋１１の材質は、花崗岩、閃緑岩、斑糲岩、安山岩、大理石等を用いることができる。一般に墓石としては墓石の硬度の高さと、水分の吸いにくさで材料が選択され、花崗岩、閃緑岩、斑糲岩、安山岩等が用いられる。本実施形態の墓石もこのような材料を用いることができる。しかし、先祖代々受け継がれるような墓でなく、夫婦を埋葬する墓のような比較的期間の短い用途の場合には、柔らかく加工が容易で、色や模様の種類が豊富であり、磨くと光沢が出る大理石を好適に用いることができる。
【００１３】
図７は墓石の支持及び埋葬方法を示す説明図である。図８は墓石及び墓石を支持する基礎部の縦断面図である。
中空円柱状本体１２の下部は基礎部１６に挿入され、コンクリートで固定される。基礎部１６はコンクリートで作製され、開口部が形成された上部１６ａと上部１６ａの開口部の直径よりも小さい直径の開口部が形成された下部１６ｂとから構成される。上部１６ａの開口部には墓石の中空円柱状本体１２の下端部が挿入され、下部１６ｂの開口部には土が入り込んでいる。ここでは、１つの基礎部１６に対して１つの中空円柱状本体１２を設けているが、基礎部１６を共有して、１つの基礎部１６に対して複数の中空円柱状本体１２を設けてよい。
中空円柱状本体１２内の貫通孔には上部の開口から遺骨を含む骨袋１７−１、１７−２が挿入され、骨袋１７−１、１７−２は下部１６ｂの開口部の土に接する。骨袋１７−１、１７−２には粉砕された遺骨が入っている。
中空柱状本体に形成される貫通孔は複数であってもよく、例えば図９に示すように、中空四角柱状本体１８に貫通孔を２つ設け、それぞれに骨袋１７−１、１７−２を挿入し、蓋１９を載置してもよい。
【００１４】
本実施形態の墓石は墓石の内部に貫通孔を設けて、その貫通孔内に骨袋を収容する。骨袋は貫通孔内の空間に地面に対して垂直な方向に重ねて複数収容される。このような埋葬方法は、地面下の収納室に骨壺を収容するよりも墓の設置面積を小さくすることができる。墓石の構成も角石を積み上げる構成よりも簡易となる。よって、墓の購入費用を低額に抑えることができる。
また本実施形態の墓石は、従来の墓石のように角石を積み重ねる構成でなく、１本の中空柱状本体と蓋とで構成されるため、積み重ねの境界で角石が倒れることがなく、耐震性に優れる。
本実施形態の墓石は、設置面積を小さくすることができるので、複数の墓石を自由に配置することができる。例えば、複数の墓石を円形状に配置したり、列状に配置することができる。また複数の墓石を道に沿って配置することができる。
【符号の説明】
【００１５】
１１、１４、１９  蓋
１２、１３、１５、１８  中空柱状本体
１６  基礎部
１７−１、１７−２  骨袋
【図１】
2018040218.tif 000003
【図２】
2018040218.tif 000004
【図３】
2018040218.tif 000005
【図４】
2018040218.tif 000006
【図５】
2018040218.tif 000007
【図６】
2018040218.tif 000008
【図７】
2018040218.tif 000009
【図８】
2018040218.tif 000010
【図９】
2018040218.tif 000011